(57)【特許請求の範囲】
【請求項１】
３層以上の複数の情報記録面をもつ光情報記録媒体に情報の記録及び再生を行う光ピックアップ装置に搭載される開口数０．８４以上のプラスチック製の光ピックアップ対物レンズであって、当該光ピックアップ対物レンズは少なくとも一面が段差を伴う輪帯形状となっており、前記光ピックアップ対物レンズに、波長が３８０ｎｍ〜４３０ｎｍの青紫色レーザー光が入射して、接線角θ（ｈ）と近似接線角φと規格化光線高さｈとが以下の条件式を満足することを特徴とする光ピックアップ対物レンズ。
【数２１】
0005683150.tif 000021
但し、接線角θ（ｈ）は、光線高さｈの時の接線角（°）、近似接線角φは、接線角θ（ｈ）の各点を線形近似した時のｈ＝１の時の角度（°）の値、但し、７２．６８８°以下、規格化光線高さｈは、レンズ有効径の最外周を１に規格化した値である。
【請求項２】
屈折率ｎと接線角θ（ｈ＝１）が、以下の式を満足することを特徴とする請求項１記載の光ピックアップ対物レンズ。
【数２２】
0005683150.tif 000022
【請求項３】
スポット径比が、以下の式を満足することを特徴とする請求項１または２記載の光ピックアップ対物レンズ。
【数２３】
0005683150.tif 000023
但し、スポット径比＝スポット径計算値／スポット径理論値、（スポット径理論値＝０．８２×λ／ＮＡ０）、ＮＡ０は近軸での開口数であり、λは入射する光の波長である。
【請求項４】
焦点距離ｆ（ｍｍ）が、以下の式を満足することを特徴とする請求項１ないし３のいずれかの請求項記載の光ピックアップ対物レンズ。
【数２４】
0005683150.tif 000024
【請求項５】
請求項１ないし４のいずれかの請求項に記載の光ピックアップ対物レンズを搭載していることを特徴とする光ピックアップ装置。
【請求項６】
カバー層厚みが３層以上であり、３個以上の複数の情報記録面を備えた情報記録媒体を記録再生することができる光ピックアップ装置であって、請求項１ないし４のいずれかの請求項に記載の光ピックアップ対物レンズを搭載していることを特徴とする光ピックアップ装置。
【発明の詳細な説明】
【技術分野】
【０００１】
本発明は、光記録媒体（光ディスク）の情報を記録再生する光情報再生装置に搭載される光ピックアップ装置用の対物レンズに関し、特に、３層以上の複数の情報記録層を有する光ディスクに使用したときでも、波面収差の劣化が小さく、且つ、各情報記録層に適切なサイズの光スポットを形成することができるプラスチック製の光ピックアップ対物レンズの構造、およびこの光ピックアップ対物レンズを搭載した光ピックアップ装置に関する。
【背景技術】
【０００２】
青紫色レーザーを使った記録容量２５ＧＢの高密度光ディスクのブルーレイディスク（Ｂｌｕ−ｒａｙ  ｄｉｓｃ：登録商標）では更なる高容量化のため、情報記録層を２層もつタイプ、いわゆる２層ディスクが製品化されている。
【０００３】
これは光ディスクのカバー層表面から０．０７５ｍｍと０．１００ｍｍの深さに２層の情報記録層を設けることで、５０ＧＢもの記録容量を達成している。一般的に、Ｂｌｕ−ｒａｙ用の光ピックアップ装置に搭載する光ピックアップ対物レンズは、２層ディスクに対応するため、カバー層の厚みを情報記録層の中間の０．０８７５ｍｍに焦点を結ぶように設計される。
【０００４】
この光ピックアップ対物レンズを使って、各層を記録再生する場合、カバー層の厚みが設計の厚みと異なる場合には、波面収差が発生してしまう。これを補正するためにコリメータに可動機構を設けて、光ピックアップ対物レンズに入射する光束の物体距離を変えることで波面収差を補償している。
【０００５】
また、Ｂｌｕ−ｒａｙ用の光ピックアップ対物レンズは開口数ＮＡが０．８５と大きく、材料にプラスチックを使うと周囲温度が変化したときの屈折率変化が大きい為、波面収差が増大してしまう。
【０００６】
特に、近年ではさらなる記憶容量増大の為、カバーガラス厚みが２層以上ある多層ディスクが開発されている。これはカバー層厚みが０．０５ｍｍから０．１ｍｍと今までよりも２倍広くなっており、ディスク厚変化による波面収差が２層ディスクに比べ、２倍程度大きくなる事が懸念される。
【先行技術文献】
【特許文献】
【０００７】
【特許文献１】特許４１９３９１４号公報
【発明の概要】
【発明が解決しようとする課題】
【０００８】
一般に、対物レンズを２層ディスクに使用する場合には、３次球面収差をキャンセルする為にカバー層厚み０．０７５ｍｍでは収束光、０．１ｍｍでは発散光が使用されるが、この時、高次球面収差（以下、高次球面収差は√（ＳＡ５２＋ＳＡ７２＋ＳＡ９２＋ＳＡ１１２）を示す）はキャンセルする事が出来ない事が知られている。
【０００９】
特許文献１の実施例についての波面収差計算結果とスポット径計算結果を図１〜３に記載した。
【００１０】
図１は、従来例１（特許文献１の実施例２）の計算結果を示している。従来例１におけるカバー層表面から０．０７５ｍｍと０．１ｍｍの深さの位置の高次球面収差について計算したところ、０．０７５ｍｍで７．３ｍλｒｍｓ、０．１ｍｍで５．５ｍλｒｍｓとなった。
【００１１】
これを多層ディスクとして仮定し、設計ディスク厚み０．０８７５ｍｍから０．０２５ｍｍずれた０．０６２５ｍｍと０．１１２５ｍｍで計算してみたところ、０．０６２５ｍｍでは１３．４ｍλｒｍｓ、０．１１２５ｍｍでは１１．８ｍλｒｍｓとなった。平均値は１２．６ｍλｒｍｓであり、高次球面収差が発生している。
【００１２】
図２は、従来例２（特許文献１の実施例３）の計算結果を示している。従来例２におけるカバー層表面から０．０７５ｍｍと０．１ｍｍの深さの位置の高次球面収差について計算したところ、０．０７５ｍｍで７．６ｍλｒｍｓ、０．１ｍｍで６．９ｍλｒｍｓとなった。
【００１３】
これを多層ディスクとして仮定し、設計ディスク厚み０．０８７５ｍｍから０．０２５ｍｍずれた０．０６２５ｍｍと０．１１２５ｍｍで計算してみたところ、０．０６２５ｍｍでは１４．４ｍλｒｍｓ、０．１１２５ｍｍでは１３．８ｍλｒｍｓとなった。平均値は１４．１ｍλｒｍｓであり、高次球面収差が発生している。
【００１４】
このように、複数層あるディスクでは高次球面収差の劣化がおこる。特にプラスチックレンズの場合には温度特性を改善する方法として、例えば特許文献１では輪帯をつける事で温度特性を改善する方法が提案されているが、このような輪帯がついた場合には、カバー層厚みが変化した場合に高次球面収差の発生量が大きくなる。また、屈折率が１．５２以下のレンズでは更に設計が困難になりカバー層厚みが変化した時の高次球面収差発生量が大きくなる。
【００１５】
本発明の目的は、温度特性改善のための輪帯段差を設けた開口数ＮＡが０．８４以上のプラスチック製の光ピックアップ対物レンズにおいて、ディスク厚が変化した場合にも、高次球面収差をできる限り発生させることなく、適切なサイズの光スポットを各情報記録面の深さ位置に形成することができる光ピックアップ対物レンズ及び光ピックアップ装置を提供することにある。
【課題を解決するための手段】
【００１６】
図５に本発明にかかわる光ピックアップ対物レンズ６の一例を示す。図５に示すように、本発明にかかわる光ピックアップ対物レンズ６の少なくとも一方の面には、同心の大きさの異なる複数の輪帯９からなる輪帯構造が形成される。そして、各輪帯構造のとなり合う輪帯間には段差が形成されている。この段差により、それぞれの輪帯を透過する光束間に位相差が生じる。
【００１７】
光ピックアップ対物レンズの設計においては、透過したレーザー光の位相が隣接する輪帯間において波長単位で異なるように設定されている。すなわち、設計と同条件でレーザー光が光ピックアップ対物レンズ６に入射する場合、各輪帯領域９を透過したレーザー光の位相は相互に波長の整数倍だけ異なる。
【００１８】
したがって、光ピックアップ対物レンズ６から出射したレーザー光には位相差が発生せず光ピックアップ対物レンズ６から出射されるレーザー光の収差は、段差が形成されていない光ピックアップ対物レンズから出射されるレーザー光の収差とほぼ同じとなる。
【００１９】
一方、周辺温度が変化し、波長が変化したレーザー光が光ピックアップ対物レンズ６に入射する場合、各輪帯領域９を透過したレーザー光の位相の違いは波長の整数倍とならない。したがって、波長が変化した場合には、異なる輪帯領域９を透過したレーザー光に位相差が発生する。そしてこの位相差は、周辺温度が変化したことによって発生する収差を低減するような大きさとなっている。
【００２０】
さらに、周辺温度が変化した場合の収差を小さくするため、各輪帯９は設計での波面収差と周辺温度が変化した場合のバランスをとるように、異なる面形状に最適化されている。
【００２１】
一般に、カバー層厚が設計からずれた場合にはコリメータレンズの位置の調整をすることで波面収差を抑える事がおこなわれている。その為、カバー層厚みが設計からずれた場合には光ピックアップ対物レンズ６に入射するレーザー光は発散光や収束光となっている。
【００２２】
発散する光や収束する光が光ピックアップ対物レンズ６に入射した場合に３次球面収差はキャンセルする事が出来るが、高次球面収差は残ってしまう。
【００２３】
そこで、このような高次球面収差の発生が起こらないための輪帯９の形状が満たすべき条件を見出した。その詳細な説明を行うために、先ず接線角の定義を説明する。図６は本発明における接線角の説明図である。接線角は図６におけるθであり、光軸に垂直な面がレンズ面の交わる点での接線と、光軸に垂直な面のなす角度である。
【００２４】
本発明では、
【数１】
0005683150.tif 000002
を満足する面形状を設定することにより、多層ディスク７での各カバー層の厚みにおいても高次球面収差の発生を抑制する。
【００２５】
但し、規格化光線高さｈは、レンズ有効径の最外周を１に規格化した値であり、接線角θ（ｈ）は、規格化光線高さｈの時の接線角（°）、近似接線角φは、接線角θ（ｈ）の各点を線形近似した時のｈ＝１の時の角度（°）の値であり、詳細は図７に示すとおりである。接線角φ（°）が（１）式を満たさない領域では、ある半径での面形状が大きく異なっている為、発散する光や収束する光が入射した場合に屈折力に差ができ高次球面収差を発生させる。
【００２６】
図３に従来例２の第２面の接線角をプロットした図を載せた。１式を満たさない場合の設計では、図３のように第２面の接線角は滑らかな曲線とならない。
【００２７】
同様に、図４に従来例３の第２面の接線角をプロットした図を載せた。１式を満たさない場合の設計では、図４のように第２面の接線角は滑らかな曲線とならない。
【００２８】
このような第２面の形状をもったレンズでは、カバー層厚みが変化した事による球面収差を補正する為にコリメータの位置を変える事で発散する光や収束する光となった場合に第２面の到着地点が変わり屈折力の異なる形状の位置に当たる事で高次球面収差が発生する。
【００２９】
逆に（１）式を満たす面形状となっている場合には、各半径での面形状に差がない為に、発散する光や収束する光が光ピックアップ対物レンズ６に入射した場合にも波面のズレによる高次球面収差を発生させることなく収束する。
さらに接線角θ（ｈ＝１）は下記を満たす事が望ましい。
【数２】
0005683150.tif 000003
（２）式を満足することで、近軸のＮＡ（以下、「ＮＡ０」という。）とマージナル光線のＮＡ（以下、「ＮＡＭ」という。）がほぼ一致する。ＮＡ０とＮＡＭが一致すると光線のバラツキが小さくなる為、高次球面収差の小さい、良好な光スポットを得ることができる。
【００３０】
なお、本発明での光スポットは、
【数３】
0005683150.tif 000004
を満足する光スポット径となることを特徴としている。
ここで、
スポット径比＝スポット径計算値／スポット径理論値、
スポット径理論値＝０．８２×λ／ＮＡ０、
で定義している。
【００３１】
さらに、焦点距離ｆは
【数４】
0005683150.tif 000005
とすることが望ましい。１．１５＜ｆとすることが好ましい理由は、ワーキングディスタンスを確保することにある。
【００３２】
さらに、焦点距離ｆが短いということは、光ピックアップ対物レンズ６の第一面と第二面の曲率半径Ｒが小さくなり、結果としてコバ厚が薄くなる。コバ厚が薄くなると、コバが割れるなどの不具合が発生し、光ピックアップ対物レンズ６の取り付けが困難になる。
【００３３】
また、式（１）、（２）を同時に満たすような光ピックアップ対物レンズ６を設計することにより、カバー層厚みが０．０７５ｍｍや０．１ｍｍと異なる場合でも波面収差とスポット径が悪くならない光ピックアップ対物レンズ６の設計が可能となる
【００３４】
さらに、多層ディスク７のような、カバー層厚みが０．０５ｍｍから０．１ｍｍと範囲が広く、情報記録面が３層以上の複数層形成されるディスク７においても波面収差とスポット径を劣化させることなく使用可能である。
【００３５】
本発明の光ピックアップ対物レンズは、３層以上の複数の情報記録面をもつ光情報記録媒体に情報の記録及び再生を行う光ピックアップ装置に搭載される開口数０．８４以上のプラスチック製の光ピックアップ対物レンズであって、当該光ピックアップ対物レンズは少なくとも一面が段差を伴う輪帯形状となっており、前記光ピックアップ対物レンズに、波長が３８０ｎｍ〜４３０ｎｍの青紫色レーザー光が入射して、接線角θ（ｈ）と近似接線角φと規格化光線高さｈとが以下の条件式を満足することを特徴とする。
【数５】
0005683150.tif 000006
但し、接線角θ（ｈ）は、光線高さｈの時の接線角（°）、近似接線角φは、接線角θ（ｈ）の各点を線形近似した時のｈ＝１の時の角度（°）の値、但し、７２．６８８°以下、規格化光線高さｈは、レンズ有効径の最外周を１に規格化した値である。
【００３６】
本発明の光ピックアップ対物レンズは、更に、屈折率ｎと接線角θ（ｈ＝１）が、以下の式を満足することを特徴とする。
【数６】
0005683150.tif 000007
【００３７】
本発明の光ピックアップ対物レンズは、更に、スポット径比が、以下の式を満足することを特徴とする。
【数７】
0005683150.tif 000008
但し、スポット径比＝スポット径計算値／スポット径理論値、（スポット径理論値＝０．８２×λ／ＮＡ０）、ＮＡ０は近軸での開口数であり、λは入射する光の波長である。
【００３８】
本発明の光ピックアップ対物レンズは、更に、焦点距離ｆ（ｍｍ）が、以下の式を満足することを特徴とする。
【数８】
0005683150.tif 000009
【００４０】
本発明の光ピックアップ装置は、上記の光ピックアップ対物レンズを搭載していることを特徴とする。
【００４１】
また、本発明の光ピックアップ装置は、カバー層厚みが３層以上であり、３個以上の複数の情報記録面を備えた情報記録媒体を記録再生することができる光ピックアップ装置であって、上記の光ピックアップ対物レンズを搭載していることを特徴とする。
【発明の効果】
【００４２】
本発明によれば、光ピックアップ対物レンズの波面収差、光スポットをともに向上することが出来る。
【図面の簡単な説明】
【００４３】
【図１】図１は、従来例１（特許文献１の実施例２）にかかる計算結果である。
【図２】図２は、従来例２（特許文献１の実施例３）にかかる計算結果である。
【図３】図３は、従来例１にかかる相対瞳座標と接線角の表と、Ｒ１面相対瞳座標と接線角のグラフとＲ２面（光ピックアップ対物レンズの出射面）側の規格化光線高さと接線角の関係を表した図である。
【図４】図４は、従来例２にかかる相対瞳座標と接線角の表と、Ｒ１面相対瞳座標と接線角のグラフとＲ２面（光ピックアップ対物レンズの出射面）側の規格化光線高さと接線角の関係を表した図である。
【図５】図５は、本実施の形態にかかる光ピックアップ対物レンズの形状図である。
【図６】図６は、本実施の形態にかかる、光ピックアップ対物レンズの接線角を説明した図である。
【図７】図７は、本実施の形態にかかる、光ピックアップ対物レンズの記号の定義を説明した図である。
【図８】図８は、光ピックアップ対物レンズのＲ１面の規格化光線高さとＲ２面の規格化光線高さを説明した図である。
【図９】図９は、本実施形態にかかる光ピックアップ光学系１の一例を示す図である
【図１０】図１０は、本発明の実施例１にかかる対物レンズの非球面係数、曲率などを示す表である。
【図１１】図１１は、本発明の実施例１にかかる結果である。
【図１２】図１２は、本発明の実施例１にかかる相対瞳座標と接線角の表と、Ｒ１面相対瞳座標と接線角のグラフとＲ２面（光ピックアップ対物レンズの出射面）側の規格化光線高さと接線角の関係を表した図である。
【図１３】図１３は、本発明の実施例２にかかる対物レンズの非球面係数、曲率などを示す表である。
【図１４】図１４は、本発明の実施例２にかかる結果である。
【図１５】図１５は、本発明の実施例２にかかる相対瞳座標と接線角の表と、Ｒ１面相対瞳座標と接線角のグラフとＲ２面（光ピックアップ対物レンズの出射面）側の規格化光線高さと接線角の関係を表した図である。
【図１６】図１６は、本発明の実施例３にかかる対物レンズの非球面係数、曲率などを示す表である。
【図１７】図１７は、本発明の実施例３にかかる結果である。
【図１８】図１８は、本発明の実施例３にかかる相対瞳座標と接線角の表と、Ｒ１面相対瞳座標と接線角のグラフとＲ２面（光ピックアップ対物レンズの出射面）側の規格化光線高さと接線角の関係を表した図である。
【図１９】図１９は、本発明の実施例４にかかる対物レンズの非球面係数、曲率などを示す表である。
【図２０】図２０は、本発明の実施例４にかかる結果である。
【図２１】図２１は、本発明の実施例４にかかる相対瞳座標と接線角の表と、Ｒ１面相対瞳座標と接線角のグラフとＲ２面（光ピックアップ対物レンズの出射面）側の規格化光線高さと接線角の関係を表した図である。
【図２２】図２２は、本発明の実施例５にかかる対物レンズの非球面係数、曲率などを示す表である。
【図２３】図２３は、本発明の実施例５にかかる結果である。
【図２４】図２４は、本発明の実施例５にかかる相対瞳座標と接線角の表と、Ｒ１面相対瞳座標と接線角のグラフとＲ２面（光ピックアップ対物レンズの出射面）側の規格化光線高さと接線角の関係を表した図である。
【発明を実施するための形態】
【００４４】
次に、本発明の実施の形態にかかわる光ピックアップ装置について説明する。図８は、ブルーレイディスク（ＢＤ）７に対して適切に情報の記録、再生をおこなえる本実施の形態の光ピックアップ装置ＰＵ１の構成を概略的に示す図である。かかる光ピックアップ装置ＰＵ１は、光情報記録再生装置に搭載できる。
【００４５】
光ピックアップ装置ＰＵ１は、ＢＤ７に対して情報の記録再生を行う場合に使用され３８０ｎｍ以上のレーザー光束を発光する。レーザー光の光路上にビームスプリッタ２が設けられている。ビームスプリッタ２及び１／４波長板３を透過することにより、円偏光に変換される。
【００４６】
１／４波長板３から出射されたレーザー光の光路上にカップリングレンズ４が設けられている。カップリングレンズ４は、プラスチック素材またはガラス素材から形成され、カップリングレンズ４がアクチュエータにより光軸方向を動く事で適切な角度をもった光に広げられる。適切な角度とは一般的にディスク７に到達した時の波面収差が一番小さくなるように設定された角度である。
【００４７】
このようにして、カップリングレンズ４を通過した光は、絞り５を通過した後、輪帯構造９をもった光ピックアップ対物レンズ６に入射される。この時、本発明によれば、多層ディスク７でのカバー層厚みが変化した場合にも高次球面収差を発生させないよう設計されている。
【００４８】
このように、適切なスポットを持った開口数ＮＡ０．８５の光とした後、光ディスク７の情報記録面に入射することになる。
【００４９】
光ディスク７の情報記録面で反射されたレーザー光は、光ピックアップ対物レンズ６を介して光検出器８に入射し、検出される。光検出器８は、当該レーザー光を検出し、光電変換して出力信号を出力する。そして、光検出器８の出力信号に基づいて、フォーカスエラー信号、トラックエラー信号、再生信号などを生成する。また、当該フォーカスエラー信号、トラックエラー信号、再生信号などを用いて、光ディスク７の記録及び／又は再生を行う。
【実施例１】
【００５０】
次に、本発明にかかる実施例１について説明する。図１０に示す表に、実施例１にかかる光ピックアップ装置ＰＵ１の光ピックアップ対物レンズ６の屈折率、中心厚、輪帯９の幅、輪帯９の段差量、非球面係数、曲率を示す。図１０に示す係数は後述する数式（５）の係数として用いられる。したがって、実施例１にかかる光ピックアップ対物レンズ６の面形状は図１０に示す係数を用いた数式（５）で表現される。
【数１０】
0005683150.tif 000010
但し、Ｚｊは非球面形状、ｈは光軸からの光線の高さ、Ｃは曲率、Ｋはコーニック係数、Ａ４、Ａ６、Ａ８、Ａ１０、Ａ１２、Ａ１４、Ａ１６はそれぞれ、４次から１６次までの非球面係数である。なお、Ｃ＝１／Ｒ（Ｒは曲率半径）である。
【００５１】
図１１に本発明の実施例１の結果を示す。屈折率は１．５０と低い場合の例となっている。実施例１はカバー層厚み０．０７５ｍｍでの高次球面収差は６．５ｍλｒｍｓ、カバー層厚み０．１ｍｍでの高次球面収差は６．７ｍλｒｍｓとなっており、高次球面収差は十分小さくなっている。
【００５２】
また、カバー層厚み０．０７５ｍｍでのスポット径は０．３９３μｍ、カバー層厚み０．０８７５ｍｍでのスポット径は０．３９４μｍ、０．１ｍｍでのスポット径は０．３９５μｍとなっている。スポット径の理論値は０．３９１μｍであるので、スポット径も十分小さくなっていることが分かる。
【００５３】
本発明の実施例１では、光ディスク７の情報記録面を、カバー層厚み０．０７５ｍｍ、０．０８７５ｍｍ、０．１ｍｍの位置に設けられた３層のブルーレイ光ディスクにおいても、各情報記録面に、高次球面収差は十分小さく、また、スポット径も十分小さく、良好に、ブルーレイのレーザー光を収束することができる。
【００５４】
また、光ディスク７の情報記録面を、カバー層厚み０．０７５ｍｍ、０．１ｍｍの位置に設けられた２層のブルーレイ光ディスクに適用し、中間の０．０８７５ｍｍの位置に焦点を合わせる場合にも、焦点の位置が変動しても、各情報記録面において、波面収差は十分小さく、また、スポット径も十分小さく、良好に、ブルーレイのレーザー光を収束することができる。
【００５５】
このような設計では、図１１に示す通り、光線高さｈと接線角θ（ｈ）は、
【数１１】
0005683150.tif 000011
を満たすような直線となるよう設計されている。
【００５６】
さらに、この時の有効径での接線角θ（ｈ＝１）は７３．６８７度（°）であり、屈折率ｎは１．５０なので、屈折率ｎ＊接線角θ（ｈ＝１）は１１０．５３０５となり、
【数１２】
0005683150.tif 000012
を満足する光ピックアップ対物レンズとなっている。
【００５７】
図１２は、実施例１にかかるＲ２面（光ピックアップ対物レンズの出射面）側の規格化光線高さと接線角の関係を表した図である。図１２の横軸は、図８のＢ点で示されるＲ２面（光ピックアップ対物レンズの出射面）側の規格化光線高さ１に対する相対的な規格化光線高さを示し、図１２の縦軸はＲ２面の接線角を示している。
【００５８】
実施例１においては、Ｒ２の接線角θ（ｉ）は、光ピックアップレンズ６の中央部から、規格化光線高さが増加するにつれて増加し、その後、光ピックアップレンズ６のレンズ周辺に向かってなだらかに接線角θ（ｉ）が減少していく曲線となる。
【実施例２】
【００５９】
次に、本発明にかかる実施例２について説明する。図１３に示す表に、実施例２にかかる光ピックアップ装置ＰＵ１の光ピックアップ対物レンズ６の屈折率、中心厚、輪帯９の幅、輪帯９の段差量、非球面係数、曲率を示す。図１３に示す係数は上述の数式（５）の係数として用いられる。したがって、実施例２にかかる光ピックアップ対物レンズ６の面形状は図１３に示す係数を用いた数式（５）で表現される。
【００６０】
図１４に実施例２の結果を示す。実施例２はカバー層厚み０．０７５ｍｍでの高次球面収差は５．１ｍλｒｍｓ、０．１ｍｍでの高次球面収差は４．４ｍλｒｍｓとなっており、高次球面収差は十分小さくなっている。
【００６１】
また、カバー層厚み０．０７５ｍｍでのスポット径は０．３９３μｍ、０．１ｍｍでのスポット径は０．３９５μｍとなっている。スポット径の理論値は０．３９１μｍであるので、スポット径も十分小さくなっていることが分かる。
【００６２】
本発明の実施例２では、光ディスク７の情報記録面を、カバー層厚み０．０７５ｍｍ、０．０８７５ｍｍ、０．１ｍｍの位置に設けられた３層のブルーレイ光ディスクにおいても、各情報記録面に、高次球面収差は十分小さく、また、スポット径も十分小さく、良好に、ブルーレイのレーザー光を収束することができる。
【００６３】
また、光ディスク７の情報記録面を、カバー層厚み０．０７５ｍｍ、０．１ｍｍの位置に設けられた２層のブルーレイ光ディスクに適用し、中間の０．０８７５ｍｍの位置に焦点を合わせる場合にも、焦点の位置が変動しても、各情報記録面において、高次球面収差は十分小さく、また、スポット径も十分小さく、良好に、ブルーレイのレーザー光を収束することができる。
【００６４】
本実施例でも図１５に示す通り、光線高さｈと接線角θ（ｈ）は、
【数１３】
0005683150.tif 000013
を満たすような直線となるように設計されている。
【００６５】
さらに、この時の有効径での接線角θ（ｈ＝１）は７２．７４４度であり、屈折率ｎは１．５２なので、接線角×屈折率は１１０．５７１となり、
【数１４】
0005683150.tif 000014
を満足するレンズとなっている。
【００６６】
図１５は、実施例２にかかるＲ２面（光ピックアップ対物レンズの出射面）側の規格化光線高さと接線角の関係を表した図である。図１５の横軸は、図８のＢ点で示されるＲ２面（光ピックアップ対物レンズの出射面）側の規格化光線高さ１に対する相対的な規格化光線高さを示し、図１５の縦軸はＲ２面の接線角を示している。
【００６７】
実施例２においても、Ｒ２の接線角θ（ｉ）は、光ピックアップレンズ６の中央部から、規格化光線高さが増加するにつれて増加し、その後、光ピックアップレンズ６のレンズ周辺に向かってなだらかに接線角θ（ｉ）が減少していく曲線となる。
【実施例３】
【００６８】
次に、本発明にかかる実施例３について説明する。本実施例は多層ディスクに使用されるものであり、カバー層厚みは０．０５ｍｍから０．１ｍｍの範囲である。本実施例ではカバー層厚み０．０５ｍｍから０．１ｍｍの中間カバー層厚みである０．０７５ｍｍで設計されている。
【００６９】
図１６に示す表に、実施例３にかかる光ピックアップ装置ＰＵ１の光ピックアップ対物レンズ６の屈折率、中心厚、輪帯９の幅、輪帯９の段差量、非球面係数、曲率を示す。図１６に示す係数は後述する数式（５）の係数として用いられる。したがって、実施例３にかかる光ピックアップ対物レンズ６の面形状は図１６に示す係数を用いた数式（５）で表現される。
【００７０】
図１７に実施例３の結果を示す。実施例３では、カバー層厚み０．０５ｍｍでの高次球面収差は１２．６ｍλｒｍｓ、０．０６２５ｍｍでの波面収差高次球面収差は５．６ｍλｒｍｓ、０．０７５ｍｍでの高次球面収差は０．０ｍλｒｍｓ、０．０８７５ｍｍでの高次球面収差は４．８ｍλｒｍｓ、０．１ｍｍでの高次球面収差は９．３ｍλｒｍｓとなっており、高次球面収差は十分小さくなっている。
【００７１】
カバー層厚み０．０５ｍｍでのスポット径は０．３９３μｍ、０．０６２５ｍｍでのスポット径は０．３９４μｍ、０．０７５ｍｍでのスポット径は０．３９４μｍ、０．０８７５ｍｍでのスポット径は０．３９６μｍ、０．１ｍｍでのスポット径は０．３９６μｍとなっている。スポット径の理論値は０．３９１μｍであるので、スポット径も十分小さくなっていることが分かる。
【００７２】
本発明の実施例３では、光ディスク７の情報記録面を、カバー層厚み０．０５ｍｍ、０．０６２５ｍｍ、０．０７５ｍｍ、０．０８７５ｍｍ、０．１ｍｍの位置に設けられた５層のブルーレイ光ディスクにおいても、各情報記録面に、高次球面収差は十分小さく、また、スポット径も十分小さく、良好に、ブルーレイのレーザー光を収束することができる。
【００７３】
また、光ディスク７の情報記録面を、カバー層厚み０．０５ｍｍ、０．０７５ｍｍ、０．１ｍｍの位置に設けられた３層のブルーレイ光ディスクに適用し、中間の０．０６２５ｍｍと０．０８７５ｍｍの位置に焦点を合わせる場合にも、焦点の位置が変動しても、各情報記録面において、高次球面収差は十分小さく、また、スポット径も十分小さく、良好に、ブルーレイのレーザー光を収束することができる。
【００７４】
本実施例でも図１８に示す通り、光線高さｈと接線角θ（ｈ）は、
【数１５】
0005683150.tif 000015
を満たすような直線となるよう設計されている。
【００７５】
さらに、この時の有効径での接線角θ（ｈ＝１）は７２．６６８度であり、屈折率ｎは１．５２なので、接線角×屈折率は１１０．４５５となり
【数１６】
0005683150.tif 000016
を満足するレンズとなっている。
【００７６】
図１８は、実施例３にかかるＲ２面（光ピックアップ対物レンズの出射面）側の規格化光線高さと接線角の関係を表した図である。図１８の横軸は、図８のＢ点で示されるＲ２面（光ピックアップ対物レンズの出射面）側の規格化光線高さ１に対する相対的な規格化光線高さを示し、図１８の縦軸はＲ２面の接線角を示している。
【００７７】
実施例３においても、Ｒ２の接線角θ（ｉ）は、光ピックアップレンズ６の中央部から、規格化光線高さが増加するにつれて増加し、その後、光ピックアップレンズ６のレンズ周辺に向かってなだらか接線角θ（ｉ）が減少していく曲線となる。
【実施例４】
【００７８】
次に、本発明にかかる実施例４について説明する。図１９に示す表に、実施例４にかかる光ピックアップ装置ＰＵ１の光ピックアップ対物レンズ６の屈折率、中心厚、輪帯９の幅、輪帯９の段差量、非球面係数、曲率を示す。図１９に示す係数は上述の数式（５）の係数として用いられる。したがって、実施例４にかかる光ピックアップ対物レンズ６の面形状は図１９に示す係数を用いた数式（５）で表現される。
【００７９】
図２０に実施例４の結果を示す。実施例４は従来例１と同じ有効径、焦点距離ｆ、ＮＡ、屈折率となっており、実施例４と等価の設計となっている。実施例４はカバー層厚み０．０７５ｍｍでの高次球面収差は３．６ｍλｒｍｓ、０．１ｍｍでの高次球面収差は３．２ｍλｒｍｓとなっており、更に多層用と仮定して設計カバー層０．０８７５から０．０２５ｍｍずれた０．０６２５ｍｍと０．１１２５ｍｍを計算してみると、０．０６２５ｍｍは８．２ｍλｒｍｓ、０．１１２５ｍｍは６．３ｍλｒｍｓとなっており、平均値は７．２５ｍλｒｍｓである。前記平均値を従来例１と比べると５．３５ｍλｒｍｓ小さくなっていることが分かる。
【００８０】
カバー層厚み０．０６２５ｍｍでのスポット径は０．３９１μｍ、０．０７５ｍｍでのスポット径は０．３９１μｍ、０．１ｍｍでのスポット径は０．３９３μｍ、０．１１２５ｍｍでのスポット径は０．３９４μｍ、となっている。スポット径の理論値は０．３９１μｍであるので、スポット径も十分小さくなっていることが分かる。
【００８１】
本実施例でも図２１に示す通り、光線高さｈと接線角θ（ｈ）は、
【数１７】
0005683150.tif 000017
を満たすような直線となるよう設計されている。
【００８２】
さらに、この時の有効径での接線角θ（ｈ＝１）は７０．８５５度であり、屈折率は１．５６なので、接線角×屈折率は１０９．５３４となり
【数１８】
0005683150.tif 000018
を満足するレンズとなっている。
【００８３】
図２１は、実施例４にかかるＲ２面（光ピックアップ対物レンズの出射面）側の規格化光線高さと接線角の関係を表した図である。図２１の横軸は、図８のＢ点で示されるＲ２面（光ピックアップ対物レンズの出射面）側の規格化光線高さ１に対する相対的な規格化光線高さを示し、図２１の縦軸はＲ２面の接線角を示している。
【００８４】
実施例４においても、Ｒ２の接線角θ（ｉ）は、光ピックアップレンズ６の中央部から、規格化光線高さが増加するにつれて増加し、その後、光ピックアップレンズ６のレンズ周辺に向かってなだらかに接線角θ（ｉ）が減少していく曲線となる。
【実施例５】
【００８５】
次に、本発明にかかる実施例５について説明する。図２２に示す表に、実施例５にかかる光ピックアップ装置ＰＵ１の光ピックアップ対物レンズ６の屈折率、中心厚、輪帯９の幅、輪帯９の段差量、非球面係数、曲率を示す。図２２に示す係数は上述の数式（５）の係数として用いられる。したがって、実施例４にかかる光ピックアップ対物レンズ６の面形状は図２２に示す係数を用いた数式（５）で表現される。
【００８６】
図２３に実施例５の結果を示す。実施例５は従来例２と同じ有効径、焦点距離ｆ、ＮＡ、屈折率となっており、実施例４と等価の設計となっている。
【００８７】
実施例５はカバー層厚み０．０７５ｍｍでの高次球面収差は４．９ｍλｒｍｓ、０．１ｍｍでの高次球面収差は５．５ｍλｒｍｓとなっており、更に多層用と仮定して設計カバー層０．０８７５から０．０２５ｍｍずれた０．０６２５ｍｍと０．１１２５ｍｍを計算してみると、０．０６２５ｍｍは９．１ｍλｒｍｓ、０．１１２５ｍｍは１１．７ｍλｒｍｓとなっており、平均値は１０．４ｍλｒｍｓである。
【００８８】
前記平均値を従来例２と比べると３．７ｍλｒｍｓ小さくなっていることが分かる。カバー層厚み０．０６２５ｍｍでのスポット径は０．３９１μｍ、０．０７５ｍｍでのスポット径は０．３９２μｍ、０．１ｍｍでのスポット径は０．３９２μｍ、０．１１２５ｍｍでのスポット径は０．３９３μｍ、となっている。スポット径の理論値は０．３９１μｍであるので、スポット径も十分小さくなっていることが分かる。
【００８９】
本実施例でも図２４に示す通り、光線高さｈと接線角θ（ｈ）は、
【数１９】
0005683150.tif 000019
を満たすような直線となるよう設計されている。
【００９０】
さらに、この時の有効径での接線角θ（ｈ＝１）は７０．９８４度であり、屈折率は１．５６なので、接線角×屈折率は１１０．７３５となり
【数２０】
0005683150.tif 000020
を満足するレンズとなっている。
【００９１】
図２４は、実施例５にかかるＲ２面（光ピックアップ対物レンズの出射面）側の規格化光線高さと接線角の関係を表した図である。図２４の横軸は、図８のＢ点で示されるＲ２面（光ピックアップ対物レンズの出射面）側の規格化光線高さ１に対する相対的な規格化光線高さを示し、図２４の縦軸はＲ２面の接線角を示している。
【００９２】
実施例５においても、Ｒ２の接戦角θ（ｉ）は、光ピックアップレンズ６の中央部から、規格化光線高さが増加するにつれて増加し、その後、光ピックアップレンズ６のレンズ周辺に向かってなだらかに接線角θ（ｉ）が減少していく曲線となる。
【符号の説明】
【００９３】
１  光ピックアップ装置ＰＵ
２  ビームスプリッタ
３  １／４波長板
４  カップリングレンズ
５  絞り
６  光ピックアップ対物レンズ
７  多層ディスク
８  光検出器
９  輪帯
【図１】
0005683150.tif 000025
【図２】
0005683150.tif 000026
【図３】
0005683150.tif 000027
【図４】
0005683150.tif 000028
【図５】
0005683150.tif 000029
【図６】
0005683150.tif 000030
【図７】
0005683150.tif 000031
【図８】
0005683150.tif 000032
【図９】
0005683150.tif 000033
【図１０】
0005683150.tif 000034
【図１１】
0005683150.tif 000035
【図１２】
0005683150.tif 000036
【図１３】
0005683150.tif 000037
【図１４】
0005683150.tif 000038
【図１５】
0005683150.tif 000039
【図１６】
0005683150.tif 000040
【図１７】
0005683150.tif 000041
【図１８】
0005683150.tif 000042
【図１９】
0005683150.tif 000043
【図２０】
0005683150.tif 000044
【図２１】
0005683150.tif 000045
【図２２】
0005683150.tif 000046
【図２３】
0005683150.tif 000047
【図２４】
0005683150.tif 000048